(57)【要約】【課題】係員がリジェクトと判断しない現金を返却してしまうことを防止するための手段を提供する。【解決手段】表示操作部４と、紙幣鑑別部１２、硬貨鑑別部２２と、カメラ１２ａ、２２ａとを有する現金入出金機であって、入金処理時に紙幣鑑別部１２、硬貨鑑別部２２で汚損のある現金を鑑別した際に、カメラ１２ａ、２２ａでその現金を撮影しておき、表示操作部４に汚損の度合いに応じた現金の画像を表示して、係員に汚損の度合いを入力させ、その入力された汚損の度合いを判定基準として紙幣鑑別部１２、硬貨鑑別部２２で判定基準以上の汚損と判定した現金を返却することを特徴とする。【選択図】図１
2008226131.tif 000002
【特許請求の範囲】
【請求項１】
表示部と、現金の汚損の有無を鑑別すると共に汚損の度合いを判定する鑑別部と、現金を撮影するカメラとを有する現金入出金機であって、
入金処理時に前記鑑別部で汚損のある現金を鑑別した際に、前記カメラでその現金を撮影しておき、前記表示部に汚損の度合いに応じた現金の画像を表示して、係員に汚損の度合いを入力させ、その入力された汚損の度合いを判定基準として前記鑑別部で判定基準以上の汚損と判定した現金を返却することを特徴とする現金入出金機。
【請求項２】
請求項１に記載の現金入出金機において、
係員により入力された前記汚損の度合いを係員カードに記憶しておき、
前記係員カードが挿入された際に、記憶された前記汚損の度合いを読み出し、その汚損の度合いに基づいて現金を返却することを特徴とする現金入出金機。
【請求項３】
表示部と、現金の汚損の有無を鑑別すると共に汚損の度合いを判定する鑑別部と、現金を撮影するカメラとを有する現金入出金機であって、
係員に汚損の度合いを入力させ、その入力された汚損の度合いを判定基準として入金処理時に前記鑑別部で判定基準以上の汚損と判定した現金を前記カメラにより撮影し、その画像を前記表示部に表示して、係員によりリジェクトを行う旨が入力されたときにその対象となった現金を返却することを特徴とする現金入出金機。
【請求項４】
請求項３に記載の現金入出金機において、
係員により入力された前記汚損の度合いを係員カードに記憶しておき、
前記係員カードが挿入された際に、記憶された前記汚損の度合いを読み出し、その汚損の度合いに基づく現金を前記表示部に表示することを特徴とする現金入出金機。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金入出金機に関するものである。
【背景技術】
【０００２】
従来の現金入出金機は、現金の正損を鑑別する鑑別部によって入金された現金を鑑別しており、偽造、変造であると鑑別した現金をリジェクトしている（例えば、特許文献１参照。）。
また、このような現金入出金機においては、破れた紙幣やテープにより修復された紙幣、または汚れた硬貨等の汚損がある現金についてもその汚損の程度が大きい場合には、リジェクトして係員に返却する場合もある。
【特許文献１】特開２００３−１６２７５１号公報（段落「００１９」、第１図）
【発明の開示】
【発明が解決しようとする課題】
【０００３】
しかしながら、上述した従来の技術においては、鑑別部がリジェクトと判断する現金の汚損の度合いと、係員が判断する汚損の度合いとが一致しない場合があり、係員にとってはリジェクトと判断しない汚損の現金でも、リジェクトと判断して係員に返却してしまうという問題点がある。
本発明は、上記の問題点を解決するための手段を提供することを目的とする。
【課題を解決するための手段】
【０００４】
本発明は、上記課題を解決するために、表示部と、現金の汚損の有無を鑑別すると共に汚損の度合いを判定する鑑別部と、現金を撮影するカメラとを有する現金入出金機であって、入金処理時に前記鑑別部で汚損のある現金を鑑別した際に、前記カメラでその現金を撮影しておき、前記表示部に汚損の度合いに応じた現金の画像を表示して、係員に汚損の度合いを入力させ、その入力された汚損の度合いを判定基準として前記鑑別部で判定基準以上の汚損と判定した現金を返却することを特徴とする。
【発明の効果】
【０００５】
これにより、本発明は、係員がリジェクトと判断する汚損の度合いに基づいて現金を返却することができ、係員がリジェクトと判断しない汚損の現金を返却してしまうことを防止することができるという効果が得られる。
【発明を実施するための最良の形態】
【０００６】
以下に、図面を参照して本発明による現金入出金機の実施例について説明する。
【実施例１】
【０００７】
図１は実施例１の現金入出金機を示す外観図、図２は実施例１の現金入出金機を示すブロック図である。
本実施例の現金入出金機は、レジスタを使用する小売店等に設置されるもので、図１、図２において１は紙幣（現金）の入出金処理を行う紙幣取扱部、２は硬貨（現金）の入出金処理を行う硬貨取扱部である。
【０００８】
紙幣取扱部１は、入金処理時にレジスタから回収した紙幣を一括して受け入れると共に出金処理時に釣銭としての紙幣を排出する紙幣入出金口１１と、この紙幣入出金口１１に受け入れた紙幣を１枚ずつ分離する図示しない分離部と、紙幣の金種等を鑑別すると共に鑑別した紙幣を金種毎に計数する紙幣鑑別部１２と、この紙幣鑑別部１２で汚損判別と鑑別された紙幣を集積して一時保留する紙幣一時保留部１３と、入金紙幣を金種別に収納する紙幣回収庫（収納庫）１５とこれらの間で紙幣を搬送ベルト等で挟持して搬送する図示しない搬送路等を備えている。
【０００９】
尚、紙幣一時保留部１３は金種の他に、汚損紙幣を区分けして収納できるように内部が区切られており、また一時保留した紙幣を繰出す繰出し手段が設けられている。
一方、硬貨取扱部２は、レジスタから回収した硬貨を一括して受け入れる硬貨入金口２１と、この硬貨入金口２１に受け入れた硬貨を１枚ずつ分離する図示しない分離部と、硬貨の金種等を鑑別すると共に鑑別した硬貨を金種毎に計数する硬貨鑑別部２２と、この硬貨鑑別部２２で正常と鑑別されて計数された硬貨を一時保留する硬貨一時保留部２３と、入金硬貨を金種別に収納する硬貨回収庫（収納庫）２５と、硬貨リジェクト口２７等を有している。
【００１０】
硬貨一時保留部２３および硬貨回収庫２５は金種毎に分けて硬貨を集積、収納できるように内部が区切られている。
尚、硬貨一時保留部２３は金種の他に、汚損硬貨を区分けして収納できるように内部が区切られており、また硬貨一時保留部２３から硬貨を繰出す繰出し手段が設けられている。
【００１１】
４は表示操作部であり、現金入出金機正面の接客面に露出させて設けられており、表示面を上に向けたＣＲＴディスプレイまたは液晶ディスプレイ等の表示部と、表示部上に配置したタッチパネル等の入力部により構成され、現金処理のための入力画面や係員（装置利用者）の操作を誘導するメッセージを配した画面やそのための入力キーを表示し、その入力キーをタッチパネル上から指で押下することにより、入力キーに定義された情報を入力できるものとなっており、入力された情報の表示等も行うようになっている。
【００１２】
５はカードリーダで、当該現金処理装置の利用者である係員が携帯する係員カードの係員情報を読取る機能を有している。
６は伝票印刷部で、紙幣取扱部１や硬貨取扱部２で行われた入金処理や出金処理の金額、金種別枚数等を伝票に記録（印字）して出力するものである。
７は主制御部であり、記憶部８に格納された制御プログラムに基づいて装置全体の制御を行う機能を有する。
【００１３】
記憶部８は、主制御部７が実行する制御プログラムを格納する他、主制御部７による処理結果等も記憶する。
また、上記の紙幣鑑別部１２には紙幣の表面を撮影するカメラ１２ａが設けられており、主制御部７はカメラ１２ａで撮影された紙幣の画像から、紙幣の“汚れ”や“破れ”、補修による“テープ貼付”等の紙幣汚損要因のレベル（度合い）を判断する機能を有する。
【００１４】
一方、上記の硬貨鑑別部２２には硬貨の表面を撮影するカメラ２２ａと、硬貨との間の磁気を検知する磁気センサが設けられており、主制御部７はそのカメラ２２ａで撮影された硬貨の画像から硬貨の“汚れ”や“破れ”（硬貨汚損要因）のレベル（度合い）を判断し、また磁気センサは硬貨の上方に配されて硬貨との間隔によって変化する磁気の強さを認識することで硬貨が折れ曲がり等の“変形”（硬貨汚損要因）のレベル（度合い）を判断する機能を有する。
【００１５】
上述した構成の作用について、図３に示す実施例１の現金入出金機の動作を示すフローチャートを用い、Ｓで示すステップに従って説明する。
Ｓ１、主制御部７は、表示操作部４に係員カードの挿入を促す文言等を配した待機画面を表示して待機しており、現金入出金機に現金を入金させる係員が自分の係員カードをカード挿入排出口に挿入すると、カードリーダによって係員カードから係員情報を読取る。
【００１６】
Ｓ２、主制御部７は、表示操作部４にパスワードの入力を促す画面を表示し、係員が操作部４を操作してパスワードを入力すると、係員カードから読取った係員情報、係員が入力したパスワードを予め記憶部８等に登録されている係員情報、パスワードと照合し、係員の確認を行う。
Ｓ３、主制御部７は、「出金」キー、「入金」キーや、出金あるいは入金等の各種取引を選択させる案内画面を配した取引選択画面を表示操作部４に表示する。
【００１７】
係員は、取引選択画面から「入金」キーを押下する。
Ｓ４、主制御部７は、係員によって「入金」キーの入力を受付けると、紙幣入出金口１１及び硬貨入金口２１に設けられているシャッタをそれぞれ開放する。
Ｓ５、主制御部７は、係員が紙幣および硬貨を紙幣入出金口１１および硬貨入金口２１に投入すると、その現金を受け入れて紙幣鑑別部１２および硬貨鑑別部２２で鑑別を行う。
【００１８】
このとき、主制御部７は紙幣鑑別部１２のカメラ１２ａによって全ての紙幣の画像を撮影し、その撮影した画像から、汚れや破れ、テープ貼付の有無を判断し、そのような紙幣汚損要因がある画像を抽出すると共に、抽出した画像から紙幣汚損要因のレベルを判断し、判断したレベルと紙幣汚損要因の種類とを画像に関連づけるようにして記憶部８に記憶する。
【００１９】
また、主制御部７は硬貨鑑別部２２のカメラ２２ａによって全ての硬貨の画像を撮影し、その撮影した画像から汚れや破れの有無を判断し、そのような硬貨汚損要因がある画像を抽出すると共に、抽出した画像から硬貨汚損状態のレベルを判断し、判断したレベルと硬貨汚損要因の種類とを画像に関連づけて記憶部８に記憶する。
さらに主制御部７は、硬貨鑑別部２２の磁気センサによって変形している硬貨を検知し、検知した硬貨の変形のレベルを判断する。そして変形した硬貨を検知した際にはその硬貨に該当する画像を抽出しておき、その画像と硬貨汚損要因の種類としての変形を示す情報、判断したレベルとを関連づけて記憶部８に記憶する。
【００２０】
Ｓ６、主制御部７は、紙幣鑑別部１２および硬貨鑑別部２２で鑑別した現金を紙幣一時保留部１３または硬貨一時保留部２３に正常であるものと汚損のあるものとを区別し、さらに正常である現金は金種別に集積して一時保留する。このとき正常であると鑑別した現金についてはその金額を計数し、計数した額を記憶部８に記憶しておく。
ここで、図４は現金リジェクト確認画面を示す説明図である。
【００２１】
Ｓ７、主制御部７は、表示操作部４に図４に示すように「汚れまたは破れ等により、返却（リジェクト）しようとしている現金があります。確認しますか？」という文言と、確認の有無を示す “確認する”キー、“確認しない”キーを配した現金リジェクト確認画面を表示する。
なお、“確認しない”キーが押下された場合には、汚損紙幣は紙幣入出金口１１に搬送し、汚損硬貨は硬貨リジェクト口２７に搬送して係員に返却し、一時保留している現金を紙幣回収庫１５および硬貨回収庫２５に収納し、今回の処理結果として伝票印刷部６で処理結果を印字した入金伝票を係員に発行して入金処理を終了する。
【００２２】
本実施例では、係員は“確認する”キーを押下したものとして、次のステップＳ８に進むこととする。
ここで、図５は紙幣汚損レベル設定画面を示す説明図である。
Ｓ８、係員が現金リジェクト確認画面の“確認する”キーを押下した場合、主制御部７は図５に示す「各汚損紙幣に対してリジェクトするレベルを選んでください。サンプルを見たい場合は“サンプル表示”ボタンを押してください。選択後、よろしければ“確認”ボタンを押してください。」という文言や、“汚れた紙幣”、“破れた紙幣”、“テープが貼られた紙幣”の各項目のレベル別にリジェクト対象となる紙幣枚数や紙幣を画像で確認するためのサンプル表示ボタン等を表示した紙幣汚損項目、“確認”ボタン等を配した紙幣汚損レベル設定画面を表示操作部４に表示する。
【００２３】
ここで、汚損紙幣項目には、リジェクト対象とする紙幣枚数やサンプル表示ボタンの他、“レベル１”、 “レベル２”、 “レベル３”、“リジェクトしない”で示すレベル選択キーが配されており、係員は“汚れた紙幣”、“破れた紙幣”、“テープが貼られた紙幣”の各項目でのレベル選択キーについてリジェクトする紙幣のレベルに該当するキーを押下した後、“確認”ボタンを押下することとしている。
【００２４】
尚、上記のレベルは、レベル１からレベル３に進むに従って汚損の程度が大きくなるように設定されているものとする。これは後述する硬貨の汚損状態項目においても同様である。
ここで、図６は汚損紙幣確認画面例を示す説明図である。
係員が紙幣汚損レベル設定画面の汚損紙幣項目から“汚れた紙幣”のレベル１に対応するサンプル表示ボタンを押下した場合、主制御部７は記憶部８に記憶した紙幣の画像で、紙幣汚損要因の種類が汚れで、かつレベル１の画像を読み出す。
【００２５】
そして、図６に示すように、読み出した内の１枚の画像と、その画像に重ねて表示した汚れの位置を示す枠と矢印、再び紙幣汚損レベル設定画面を表示するための“戻る”キー、読み出した画像の内、未表示の画像を表示するための“次の紙幣を見る”キーを配した汚損紙幣確認画面を表示操作部４に表示する。
係員は、“汚れた紙幣”、“破れた紙幣”、“テープが貼られた紙幣”の各項目のレベル２の選択キーを押下して“確認”ボタンを押下するものとする。
【００２６】
ここで、図７は硬貨汚損レベル設定画面を示す説明図である。
Ｓ９、主制御部７は、係員によって“確認”ボタンの押下を認識すると、“汚れ”、“破れ”、“テープ貼付”についてレベル２以上の汚損紙幣をリジェクトする旨の紙幣リジェクト情報を記憶部８に記憶しておき、次に図７に示す「各汚損硬貨に対してリジェクトするレベルを選んでください。サンプルを見たい場合は“サンプル表示”ボタンを押してください。選択後、よろしければ“確認”ボタンを押してください。」という文言と、“汚れた硬貨”、“変形した硬貨”、“破損した硬貨”の各項目のレベル別にリジェクト対象となる硬貨枚数や硬貨を画像で確認するためのサンプル表示ボタン等を表示した硬貨汚損項目、“確認”ボタン等を配した硬貨汚損レベル設定画面を表示操作部４に表示する。
【００２７】
ここで、汚損硬貨項目には、リジェクト対象とする硬貨枚数やサンプル表示ボタンの他、“レベル１”、 “レベル２”、 “レベル３”、“リジェクトしない”で示すレベル選択キーが配されており、係員は“汚れた硬貨”、“変形した硬貨”、“破損した硬貨”の各項目でのレベル選択キーからリジェクトする硬貨のレベルに該当するキーを押下した後、“確認”ボタンを押下する。
【００２８】
ここで、図８は汚損硬貨確認画面例を示す説明図である。
係員が硬貨汚損レベル設定画面の汚損硬貨項目から“汚れた硬貨”のレベル１に対応するサンプル表示ボタンを押下した場合、主制御部７は記憶部８に記憶した硬貨の画像で、硬貨汚損要因の種類が汚れで、かつレベル１の画像を読み出す。
そして、図８に示すように、読み出した内の１枚の画像と、その画像に重ねて表示した汚れの位置を示す枠と矢印、再び硬貨汚損レベル設定画面を表示するための“戻る”キー、読み出した画像の内、未表示の画像を表示するための“次の硬貨を見る”キーを配した汚損硬貨確認画面を表示操作部４に表示する。
【００２９】
係員は、“汚れた硬貨”、“変形した硬貨”、“破損した硬貨”の各項目のレベル２の選択キーを押下して“確認”ボタンを押下する。
Ｓ１０、主制御部７は、“確認”ボタンの押下を認識すると、“汚れ”、“変形”、“破損”についてレベル２以上の汚損硬貨をリジェクトする旨の硬貨リジェクト情報を記憶部８に記憶しておき、紙幣一時保留部１３および硬貨一時保留部２３から汚損紙幣および汚損硬貨のみを繰出して紙幣鑑別部１２および硬貨鑑別部２２に搬送する。
【００３０】
Ｓ１１、主制御部７は、記憶部８から紙幣リジェクト情報と硬貨リジェクト情報とを読み出しておき、紙幣鑑別部１２および硬貨鑑別部２２で汚損紙幣および汚損硬貨の鑑別を開始し、読み出した紙幣リジェクト情報と硬貨リジェクト情報に従って鑑別した汚損紙幣および汚損硬貨のうち、紙幣汚損要因および硬貨汚損要因がレベル２以上であると現金を紙幣入出金口１１および硬貨リジェクト口２７に搬送して係員に返却し、紙幣汚損要因および硬貨汚損要因がレベル１の現金を紙幣一時保留部１３および硬貨一時保留部２３に金種別に集積し、一時保留する。
【００３１】
なお、主制御部７はこのときに一時保留する現金の金額を計数して、計数した額を上記ステップＳ６で記憶した額に加え、入金額として記憶部８に記憶する。
Ｓ１２、主制御部７は、紙幣一時保留部１３および硬貨一時保留部２３に収納した紙幣および硬貨の金種ごとの枚数および金額、全金種の合計額を計数結果として表示操作部４に表示し、係員に金額を確認させて収納の可否を入力させ、その確認結果が可である入力を認識すると、一時保留した紙幣および硬貨を紙幣回収庫１５および硬貨回収庫２５に収納し、今回の処理結果として伝票印刷部６で処理結果を印字した入金伝票を係員に発行して入金処理を終了する。
【００３２】
以上説明したように、本実施例では、汚損紙幣と汚損硬貨を返却する判定基準となる汚損のレベルを入力させ、そのレベル以上の汚損紙幣および汚損硬貨をリジェクト対象として係員に返却するので、係員がリジェクトと判定する基準で紙幣と硬貨をリジェクトすることができるため、係員がリジェクトと判定しない汚損の紙幣や現金を返却してしまうことを防止できる。
【００３３】
ここで、上記実施例１において係員が入力したレベルを係員カードに記憶しておくようにし、次回の入金処理時にその係員カードに記憶されたレベルを読み出してそれを現金の返却の判定基準とするようにすれば、その都度係員にレベルを入力させる手間を省くことができる。
【実施例２】
【００３４】
本実施例の現金入出金機の構成は上記実施例１と同様であるが、汚損紙幣および汚損硬貨をリジェクトする判定基準となる度合いを係員に入力設定（マニュアル設定という。）させる点が相違する。
本実施例の現金入出金機の入金処理の動作について、図９に示す実施例２の現金入出金機の入金処理を示すフローチャートを用いて、ＳＡで示すステップに従って説明する。
【００３５】
ＳＡ１、主制御部７は、表示操作部４に係員カードの挿入を促す文言等を配した待機画面を表示して待機しており、現金入出金機に現金を入金させる係員が自分の係員カードをカード挿入排出口に挿入すると、カードリーダによって係員カードから係員の個人ＩＤ情報を読取る。
ＳＡ２、主制御部７は、表示操作部４にパスワードの入力を促す画面を表示し、係員が操作部４を操作してパスワードを入力すると、係員カードから読取った個人ＩＤ情報、係員が入力したパスワードを予め記憶部８等に登録されている個人ＩＤ情報、パスワードと照合し、係員の確認を行う。
【００３６】
ＳＡ３、主制御部７は、「出金」キー、「入金」キーや、出金あるいは入金等の各種取引を選択させる案内画面を配した取引選択画面を表示操作部４に表示する。
係員は、取引選択画面から「入金」キーを押下する。
ここで、図１０は汚損レベル設定選択画面を示す説明図、図１１は設定項目選択画面を示す説明図である。
【００３７】
ＳＡ４、主制御部７は、図１０に示す現金をリジェクトする基準となる度合をマニュアル設定するか否かを問う「汚損リジェクトのレベルを設定しますか？」等の文言と、“はい”キー、“いいえ”キーを配した汚損レベル設定選択画面を表示操作部４に表示する。
係員は汚損レベル設定選択画面の“はい”キーを押下する。
ＳＡ５、主制御部７は、図１１に示す“設定する項目を選んで下さい”等の紙幣汚損状態または硬貨汚損状態の項目からマニュアル設定する項目の選択を促す文言と、紙幣汚損状態の項目を示す“汚れ”キー、“破れ”キー、“テープ”キー、硬貨汚損状態の項目を示す“汚れ”キー、“変形”キー、“破損”キー等を配した設定項目選択画面を表示操作部４に表示する。
【００３８】
ここで、係員は硬貨汚損状態の“汚れ”キーを押下するものとする。
図１２は汚れ範囲選択画面を示す説明図であり、（ａ）は汚れの範囲が最も狭い状態を示し、（ｂ）は汚れの範囲が最も狭い状態と最も広い状態との中間の状態を示し、（ｃ）は汚れの範囲が最も広い状態を示す。図１３は汚れ濃さ選択画面を示す説明図であり、（ａ）は汚れが最も薄い状態を示し、（ｂ）は汚れが最も薄い状態と最も濃い状態の中間の状態を示し、（ｃ）は汚れが最も濃い状態を示す。
【００３９】
ＳＡ６、主制御部７は、図１２に示す“汚れの大きさを設定してください”等のリジェクトする硬貨汚れの大きさを設定するよう促す文言と、硬貨の汚れの範囲を示すイメージ、そのイメージに表示される汚れの範囲を拡大縮小するためのスライダ、ＯＫ（決定）キー等を配した汚れ範囲選択画面を表示する。
係員が汚れ範囲選択画面のスライダを上方に移動させると図１２（ａ）に示すように硬貨の汚れの範囲を示すイメージの汚れの範囲が狭くなり、スライダを下方に移動させるにつれて図１２（ｂ）および図１２（ｃ）に示すように汚れの範囲は広り、これによって係員は汚れの範囲を設定する。
【００４０】
ＳＡ７、主制御部７は、係員がＯＫキーを押下すると、その時に設定されている汚れの範囲情報を記憶部８を記憶しておき、図１３に示す“汚れの程度を設定してください”等のリジェクトする硬貨の汚れの濃さを設定するよう促す文言と、硬貨の汚れの濃さを示すイメージ、汚れの濃さを設定するためのスライダ、ＯＫ（決定）キー等を配した汚れ濃さ選択画面を表示する。
【００４１】
係員が汚れ濃さ選択画面のスライダを上方に移動させると図１３（ａ）に示すように硬貨の汚れの濃さが薄くなり、スライダを下方に移動させるにつれて図１３（ｂ）、図１３（ｃ）に示すように汚れの濃さが濃くなり、これによって係員は汚れの濃さを設定する。
ＳＡ８、主制御部７は、係員がＯＫキーを押下すると、その時に設定されている汚れの濃さ情報を記憶部８に記憶して、紙幣入出金口１１及び硬貨入金口２１に設けられているシャッタをそれぞれ開放する。
【００４２】
ＳＡ９、主制御部７は、係員によって紙幣および硬貨を紙幣入出金口１１および硬貨入金口２１に投入されると、その現金を受け入れて紙幣鑑別部１２および硬貨鑑別部２２へ搬送して鑑別を行う。
このとき、主制御部７は上記実施例１と同様にして撮影した紙幣の画像から、汚れや破れ、テープ貼付がある画像を抽出すると共に、抽出した画像から紙幣汚損要因のレベルを判断し、判断したレベルと紙幣汚損要因の種類とを画像に関連づけるようにして記憶部８に記憶する。
【００４３】
また、主制御部７は記憶部８から硬貨の汚れの範囲情報と濃さ情報とを読み出し、その範囲情報と濃さ情報をもとに撮影した硬貨の画像から汚れのある硬貨を抽出、つまり汚れの範囲情報よりも狭く、かつ汚れの濃さ情報よりも薄い汚れとなっている硬貨の画像を抽出する。
さらに、上記実施例１と同様にして撮影した硬貨の画像から破損がある画像を抽出し、その画像から硬貨汚損要因のレベルを判断し、判断したレベルと硬貨汚損要因の種類としての破損である旨の情報を画像に関連づけて記憶部８に記憶し、さらに磁気センサで変形している硬貨を検知して変形のレベルを判断し、変形した硬貨を検知した際には撮影した硬貨の画像を抽出しておき、その画像と硬貨汚損要因として硬貨が変形していることを示す情報、変形のレベルとを関連づけて記憶部８に記憶する。
【００４４】
ＳＡ１０、主制御部７は、紙幣鑑別部１２および硬貨鑑別部２２で鑑別した現金を紙幣一時保留部１３または硬貨一時保留部２３に搬送して、正常であるものと汚損のあるものとを区別し、さらに正常である現金は金種別に集積して一時保留する。
ＳＡ１１、主制御部７は、表示操作部４に上記実施例１のステップＳ７と同様の現金リジェクト確認画面を表示する。
【００４５】
ＳＡ１２、係員が現金リジェクト確認画面の“確認する”キーを押下すると、主制御部７は上記実施例１のステップＳ８と同様にして紙幣汚損レベル設定画面を表示操作部４に表示する。
係員は、各紙幣汚損状態項目のレベル２の選択キーを押下して“確認”ボタンを押下するものとする。
【００４６】
ここで、図１４は実施例２の硬貨汚損レベル設定画面を示す説明図である。
ＳＡ１３、主制御部７は、係員によって“確認”ボタンの押下を認識すると、“汚れ”、“破れ”、“テープ貼付”についてレベル２以上の汚損紙幣をリジェクトする旨の紙幣リジェクト情報を記憶部８に記憶しておき、記憶部８から硬貨の汚れの範囲情報と濃さ情報を読み出し、それらの情報を従って図１４に示す硬貨汚損レベル設定画面を表示操作部４に表示する。
【００４７】
なお、本実施例の硬貨汚損レベル設定画面は、上記実施例１の図７に示す硬貨汚損レベル設定画面に対して“汚れた硬貨”の項目において、レベルごとのリジェクトする枚数でなく、記憶したマニュアル設定画像の数に従って汚れによってリジェクトする硬貨枚数を表示する。
ここで、係員によって“汚れた硬貨“の項目でのサンプル表示ボタンが押下された場合は、主制御部７は記憶したマニュアル設定画像を読み出して、その画像を用いて上記実施例１の図８に示すような汚損硬貨確認画面を表示するようにしている。
【００４８】
係員は、“変形した硬貨”、“破損した硬貨”の項目のレベル２の選択キーを、“汚れた硬貨”の項目についてはリジェクトしないの選択キーを押下して、“確認”ボタンを押下するものとする。
ＳＡ１４、主制御部７は、“確認”ボタンの押下を認識すると、“変形”、“破損”についてレベル２以上の汚損硬貨をリジェクトし、“汚れ”の硬貨については汚れの範囲情報よりも狭く、かつ汚れの濃さ情報よりも薄い汚れとなっている硬貨についてはリジェクトしない旨の硬貨リジェクト情報を記憶部８に記憶しておき、紙幣一時保留部１３および硬貨一時保留部２３から汚損紙幣および汚損硬貨のみを繰出して紙幣鑑別部１２および硬貨鑑別部２２に搬送する。
【００４９】
ＳＡ１５、主制御部７は、記憶部８から紙幣リジェクト情報と硬貨リジェクト情報とを読み出しておき、紙幣鑑別部１２および硬貨鑑別部２２で汚損紙幣および汚損硬貨の鑑別を開始し、読み出した紙幣リジェクト情報と硬貨リジェクト情報に従ってリジェクトする現金は紙幣入出金口１１および硬貨リジェクト口２７に搬送して係員に返却すると共に、リジェクトしない現金は紙幣一時保留部１３および硬貨一時保留部２３に金種別に集積し、一時保留する。
【００５０】
ＳＡ１６、主制御部７は、紙幣一時保留部１３および硬貨一時保留部２３に収納した紙幣および硬貨の金種ごとの枚数および金額、全金種の合計額を計数結果として表示操作部４に表示し、係員に金額を確認させて収納の可否を入力させ、その確認結果が可である入力を認識すると、一時保留した紙幣および硬貨を紙幣回収庫１５および硬貨回収庫２５に収納し、今回の処理結果として伝票印刷部６で処理結果を印字した入金伝票を係員に発行して入金処理を終了する。
【００５１】
以上説明したように、本実施例では、上記実施例１の効果に加えて、係員に汚損紙幣および汚損硬貨のリジェクトの基準となる度合を設定することで、係員の判定基準でリジェクトの対象となる現金の基準を定めることができる。
なお、上記実施例２においては、係員にマニュアル設定を入力させたが、入力させたマニュアル設定の内容を係員カードに記憶しておき、その係員による次の入金処理時に係員カードからマニュアル設定の内容を読み出すことによって、その都度係員にマニュアル設定の入力を行わせる時間を省略することができるため、入金処理に掛かる時間を短縮することができる。
【図面の簡単な説明】
【００５２】
【図１】実施例１の現金入出金機を示す外観図
【図２】実施例１の現金入出金機を示すブロック図
【図３】実施例１の現金入出金機の動作を示すフローチャート
【図４】現金リジェクト確認画面を示す説明図
【図５】紙幣汚損レベル設定画面を示す説明図
【図６】汚損紙幣確認画面例を示す説明図
【図７】硬貨汚損レベル設定画面を示す説明図
【図８】汚損硬貨確認画面例を示す説明図
【図９】実施例２の現金入出金機の入金処理を示すフローチャート
【図１０】汚損レベル設定選択画面を示す説明図
【図１１】設定項目選択画面を示す説明図
【図１２】汚れ範囲選択画面を示す説明図
【図１３】汚れ濃さ選択画面を示す説明図
【図１４】実施例２の硬貨汚損レベル設定画面を示す説明図
【符号の説明】
【００５３】
１    紙幣取扱部
２    硬貨取扱部
４    表示操作部
５    カードリーダ
６    伝票印刷部
７    主制御部
８    記憶部
１１  紙幣入出金口
１２  紙幣鑑別部
１２ａ、２２ａ  カメラ
１３  紙幣一時保留部
１５  紙幣回収庫
２１  硬貨入金口
２２  硬貨鑑別部
２３  硬貨一時保留部
２５  硬貨回収庫
２７  硬貨リジェクト口
【図１】
2008226131.tif 000003
【図２】
2008226131.tif 000004
【図３】
2008226131.tif 000005
【図４】
2008226131.tif 000006
【図５】
2008226131.tif 000007
【図６】
2008226131.tif 000008
【図７】
2008226131.tif 000009
【図８】
2008226131.tif 000010
【図９】
2008226131.tif 000011
【図１０】
2008226131.tif 000012
【図１１】
2008226131.tif 000013
【図１２】
2008226131.tif 000014
【図１３】
2008226131.tif 000015
【図１４】
2008226131.tif 000016